(57)【要約】【課題】放送素材記録制御において、冗長性を高められる技術を提供する。【解決手段】複数の制御装置と複数の記録装置を備え、該複数の制御装置と複数の記録装置との間の接続を切換えることで、第１の制御装置が第１の記録装置に接続されかつ第２の制御装置が第２の記録装置に接続される第１の接続状態と、第１、第２の制御装置のいずれか一方が第１、第２の記録装置の双方に接続される第２の接続状態とが可能で、該第１の接続状態または第２の接続状態において上記第１、第２の記録装置の双方に放送素材を記録可能な構成とする。【選択図】  図１
2004266496.tif 000002
【特許請求の範囲】
【請求項１】
映像信号と音声信号から成る放送素材を記録する放送素材記録制御システムであって、
入力された放送素材を記録する第１、第２の記録装置と、
相互間で通信可能で、かつ、それぞれが上記第１、第２の記録装置を制御可能な第１、第２の制御装置と、
上記第１、第２の制御装置相互間での通信結果に基づき、該第１、第２の制御装置と上記第１、第２の記録装置との接続を切換える切換え手段と、
を備え、上記切換え手段による切換えにより、上記第１の制御装置が上記第１の記録装置に接続されかつ上記第２の制御装置が上記第２の記録装置に接続される第１の接続状態と、上記第１、第２の制御装置のいずれか一方が上記第１、第２の記録装置の双方に接続される第２の接続状態とが可能で、該第１の接続状態または第２の接続状態において上記第１、第２の記録装置の双方に上記放送素材を記録する構成としたことを特徴とする放送素材記録制御システム。
【請求項２】
映像信号と音声信号から成る放送素材を記録する放送素材記録制御システムであって、
入力された放送素材を記録する第１、第２の記録装置と、
相互間で通信可能で、かつ、それぞれが上記第１、第２の記録装置を制御可能な第１、第２の制御装置と、
上記第１、第２の制御装置相互間での通信結果に基づき、該第１、第２の制御装置と上記第１、第２の記録装置との接続を切換える切換え手段と、
を備え、上記切換え手段による切換えにより、上記第１の制御装置が上記第１の記録装置に接続されかつ上記第２の制御装置が上記第２の記録装置に接続される第１の接続状態と、上記第１、第２の制御装置のいずれか一方が上記第１、第２の記録装置の双方に接続される第２の接続状態と、上記第１、第２の制御装置のいずれか一方が上記第１、第２の記録装置のいずれか一方に接続される第３の接続状態とが可能で、該第１の接続状態または第２の接続状態においては上記第１、第２の記録装置の双方に上記放送素材を記録し、上記第３の接続状態においては上記第１、第２の記録装置のいずれか一方に上記放送素材を記録する構成としたことを特徴とする放送素材記録制御システム。
【請求項３】
映像信号と音声信号から成る放送素材を記録する放送素材記録制御システムであって、
記録用の放送素材を再生する再生部と、
再生された上記放送素材を記録する第１、第２の記録装置と、
相互間で通信可能で、かつ、それぞれが上記再生装置と上記第１、第２の記録装置とを制御可能な第１、第２の制御装置と、
上記第１、第２の制御装置間の通信結果に基づき、該第１、第２の制御装置と上記第１、第２の記録装置との間の接続を切換える切換え手段と、
を備え、上記切換え手段による切換えにより、上記第１の制御装置が上記第１の記録装置に接続されかつ上記第２の制御装置が上記第２の記録装置に接続される第１の接続状態と、上記第１、第２の制御装置のいずれか一方が上記第１、第２の記録装置の双方に接続される第２の接続状態と、上記第１、第２の制御装置のいずれか一方が上記第１、第２の記録装置のいずれか一方に接続される第３の接続状態とが可能で、該第１の接続状態または第２の接続状態においては上記第１、第２の記録装置の双方に上記再生された放送素材を記録し、上記第３の接続状態においては上記第１、第２の記録装置のいずれか一方に上記再生された放送素材を記録する構成としたことを特徴とする放送素材記録制御システム。
【請求項４】
第１、第２の記録装置をそれぞれ第１、第２の制御装置で制御し、映像信号と音声信号から成る放送素材を記録する放送素材記録制御方法であって、
第１、第２の制御装置相互間で通信を行うステップと、
上記通信結果に基づき、上記第１、第２の制御装置と上記第１、第２の記録装置との間の接続を切換え、上記第１の制御装置を上記第１の記録装置に接続しかつ上記第２の制御装置を上記第２の記録装置に接続する、または、上記第１、第２の制御装置のいずれか一方を上記第１、第２の記録装置の双方に接続するステップと、
上記第１、第２の記録装置において上記放送素材の記録を開始するステップと、
を備えたことを特徴とする放送素材記録制御方法。
【請求項５】
第１、第２の記録装置をそれぞれ第１、第２の制御装置で制御し、映像信号と音声信号から成る放送素材を記録する放送素材記録制御方法であって、
第１、第２の制御装置相互間で通信を行うステップと、
上記通信結果に基づき、上記第１、第２の制御装置と上記第１、第２の記録装置との間の接続を切換え、上記第１の制御装置を上記第１の記録装置に接続しかつ上記第２の制御装置を上記第２の記録装置に接続する、または、上記第１、第２の制御装置のいずれか一方を上記第１、第２の記録装置の双方に接続するステップと、
上記第１、第２の記録装置において上記放送素材の記録を開始するステップと、
記録開始後、上記第１、第２の制御装置のいずれか一方に異常が発生したとき、該第１、第２の制御装置のうち正常な方を上記第１、第２の記録装置のいずれか一方に接続し、該接続された記録装置において上記放送素材の記録を続けるステップと、
を備えたことを特徴とする放送素材記録制御方法。
【発明の詳細な説明】
【０００１】
【発明の属する技術分野】
本発明は、映像信号と音声信号から成る放送素材を、ランダムアクセス可能な記録装置に記録する場合の技術に関する。
【０００２】
【従来の技術】
従来の放送素材記録制御システムの構成例を図９〜図１１に示す。図９は１台の制御装置と１台の記録装置とを備えた放送素材記録制御システムにおいて該１台の制御装置が該１台の記録装置に接続される場合の構成例、図１０は、複数台の制御装置と複数台の記録装置とを備え、該複数台の制御装置のうちの１台を、該複数台の記録装置に接続してこれらを制御する場合の構成例、図１１は、複数台の制御装置と複数台の記録装置とを備え、該複数台の制御装置のそれぞれを、該複数台の記録装置のそれぞれに対応させて一対一で接続し、１台の制御装置では対応する特定の１台の記録装置を制御するようにし複数台の制御装置で複数台の記録装置を制御する場合の構成例である。
【０００３】
図９において、１０１ａは再生装置、１０２ａは記録装置、２０３ａは、再生装置１０１ａと記録装置１０２ａを制御する制御装置、１０５ａ１、１０５ａ２は制御線、１０３は再生装置１０１ａから出力される放送素材（映像・音声信号）、１０４は記録装置１０２ａから読み出されて出力される放送素材（映像・音声信号）である。
かかる図９の構成において、制御装置２０３ａは、再生装置１０１ａには制御線１０５ａ１を介して制御信号を送り該再生装置１０１ａを制御するとともに、記録装置１０２ａには制御線１０５ａ２を介して制御信号を送り該記録装置１０２ａを制御する。再生装置１０１ａからは記録装置１０２ａに記録する放送素材１０３を出力する。記録装置１０２ａでは、再生装置１０１ａから出力された放送素材を記録するとともに、これを読み出して放送用などとして出力する。制御装置２０３ａは、再生装置１０１ａにおける上記放送素材１０３の再生動作と、記録装置１０２ａにおける上記放送素材１０３の記録動作及び読み出し動作とを制御する。
【０００４】
また、図１０において、１０１ａは再生装置、１０２ａ、１０２ｂはそれぞれ記録装置、２０３ａ、２０３ｂはそれぞれ、再生装置１０１ａと記録装置１０２ａ、１０２ｂを制御する制御装置、２０１は、制御装置２０３ａ、２０３ｂの再生装置１０１ａに対する接続を切換える切換え装置、３０１ａは、制御装置２０３ａ、２０３ｂの記録装置１０２ａ、１０２ｂに対する接続を切換える切換え装置、１０５ａ１、１０５ａ１１、１０５ａ２、１０５ａ２１、１０５ａ２２、１０５ｂ１、１０５ｂ２はそれぞれ、制御装置２０３ａ、２０３ｂからの制御信号を伝送する制御線、１０３は再生装置１０１ａから出力される放送素材（映像・音声信号）、１０４ａ、１０４ｂはそれぞれ、記録装置１０２ａ、１０２ｂから読み出されて出力される放送素材（映像・音声信号）である。
【０００５】
かかる図１０の構成において、制御装置２０３ａは、再生装置１０１ａには切換え装置２０１と制御線１０５ａ１、１０５ａ１１を介して制御信号を送り該再生装置１０１ａを制御するとともに、記録装置１０２ａには切換え装置３０１ａと制御線１０５ａ２、１０５ａ２１を介して制御信号を送って該記録装置１０２ａを制御し、記録装置１０２ｂには切換え装置３０１ａと制御線１０５ａ２、１０５ａ２２を介して制御信号を送って該記録装置１０２ｂを制御する。
【０００６】
また、制御装置２０３ｂは、再生装置１０１ａには切換え装置２０１と制御線１０５ａ１、１０５ｂ１を介して制御信号を送り該再生装置１０１ａを制御するとともに、記録装置１０２ａには切換え装置３０１ａと制御線１０５ｂ２、１０５ａ２１を介して制御信号を送って該記録装置１０２ａを制御し、記録装置１０２ｂには切換え装置３０１ａと制御線１０５ｂ２、１０５ａ２２を介して制御信号を送って該記録装置１０２ｂを制御する。再生装置１０１ａからは記録装置１０２ａ、１０２ｂに記録する放送素材１０３を出力する。記録装置１０２ａ、１０２ｂでは、再生装置１０１ａから出力された放送素材１０３を記録するとともに、該記録したものを読み出して放送用などとして出力する。
【０００７】
制御装置２０３ａ、２０３ｂは、再生装置１０１ａにおける上記放送素材１０３の再生動作と、記録装置１０２ａ、１０２ｂにおける上記放送素材１０３の記録動作及び読み出し動作とを制御する。制御装置２０３ａが２台の記録装置１０２ａ、１０２ｂの制御を行っているときは、制御装置２０３ｂは該２台の記録装置１０２ａ、１０２ｂの制御を行わず、同様に、制御装置２０３ｂが該２台の記録装置１０２ａ、１０２ｂの制御動作を行っているときは、制御装置２０３ａは該２台の記録装置１０２ａ、１０２ｂの制御を行わない。すなわち、制御装置２０３ａ、２０３ｂのうち所定のいずれか一方が作動して該２台の記録装置１０２ａ、１０２ｂの制御を行い、該所定の一方が故障した場合などに他方がこれに替わって該２台の記録装置１０２ａ、１０２ｂの制御を行う。作動させる制御装置の選択は切換え装置２０１によって行う。
【０００８】
さらに、図１１において、１０１ａは再生装置、１０２ａ、１０２ｂはそれぞれ記録装置、２０３ａ、２０３ｂはそれぞれ、再生装置１０１ａと記録装置１０２ａ、１０２ｂを制御する制御装置、２０１は、制御装置２０３ａ、２０３ｂの再生装置１０１ａに対する接続を切換える切換え装置、１０５ａ１、１０５ａ１１、１０５ａ２、１０５ｂ１、１０５ｂ２はそれぞれ、制御装置２０３ａ、２０３ｂからの制御信号を伝送する制御線、１０３は再生装置１０１ａから出力される放送素材（映像・音声信号）、１０４ａ、１０４ｂはそれぞれ、記録装置１０２ａ、１０２ｂから読み出されて出力される放送素材（映像・音声信号）である。
かかる図１１の構成において、制御装置２０３ａは、再生装置１０１ａには切換え装置２０１と制御線１０５ａ１、１０５ａ１１を介して制御信号を送り該再生装置１０１ａを制御するとともに、記録装置１０２ａには制御線１０５ａ２を介して制御信号を送り該記録装置１０２ａを制御する。
【０００９】
また、制御装置２０３ｂは、再生装置１０１ａには切換え装置２０１と制御線１０５ａ１、１０５ｂ１を介して制御信号を送り該再生装置１０１ａを制御するとともに、記録装置１０２ｂには制御線１０５ｂ２を介して制御信号を送り該記録装置１０２ｂを制御する。再生装置１０１ａからは記録装置１０２ａ、１０２ｂに記録する放送素材１０３を出力する。記録装置１０２ａ、１０２ｂでは、再生装置１０１ａから出力された放送素材０１３を記録するとともに、該記録したものを読み出して放送用などとして出力する。制御装置２０３ａ、２０３ｂは、再生装置１０１ａにおける上記放送素材１０３の再生動作と、記録装置１０２ａ、１０２ｂにおける上記放送素材１０３の記録動作及び読み出し動作とを制御する。
【００１０】
制御装置２０３ａが記録装置１０２ａの制御を行っているときは、制御装置２０３ｂは記録装置１０２ｂの制御を行わず、同様に、制御装置２０３ｂが記録装置１０２ｂの制御動作を行っているときは、制御装置２０３ａは記録装置１０２ａの制御を行わないようになっている。すなわち、制御装置２０３ａ、２０３ｂのうち所定のいずれか一方が作動して該２台の記録装置１０２ａ、１０２ｂのうちのいずれか対応する方の制御を行い、一方の制御装置または記録装置が故障した場合などには他方がこれに替わって作動し、放送素材の記録を行う。作動させる制御装置の選択は切換え装置２０１によって行う。
【００１１】
なお、本発明に関連する従来技術が記載された特許文献及び非特許文献は現時点では発見されない。
【００１２】
【発明が解決しようとする課題】
上記従来技術のうち図９の技術では、１台の制御装置と１台の記録装置しか備えていないため、少なくともこれらのうちのいずれかが故障等した場合には、放送素材の記録や送信が不可能となる。図１０の技術では、記録制御中に制御装置に障害が発生した場合、全ての記録装置においてそれまでの記録制御が中断されてしまう。このため、特に長時間の放送素材を記録する場合に問題がある。図１１の技術では、記録制御中に一方の制御装置に障害が発生した場合、他方の制御装置に対応した記録装置でしか記録が行われないことになるため、記録装置に対する冗長性に欠ける。
本発明の課題点は、上記従来技術の状況に鑑み、放送素材記録制御技術において、放送素材を記録する記録装置とそれを制御する制御装置に対する冗長性を高められるようにすること、である。
本発明の目的は、かかる課題点を解決できる技術の提供にある。
【００１３】
【課題を解決するための手段】
上記課題点を解決するために、本発明では、基本的に、放送素材記録制御技術として、複数の制御装置と複数の記録装置を備え、該複数の制御装置と複数の記録装置との間の接続を切換えることで、第１の制御装置が第１の記録装置に接続されかつ第２の制御装置が第２の記録装置に接続される第１の接続状態と、第１、第２の制御装置のいずれか一方が第１、第２の記録装置の双方に接続される第２の接続状態とが可能で、該第１の接続状態または第２の接続状態において上記第１、第２の記録装置の双方に放送素材を記録可能な構成とする。
【００１４】
具体的には、放送素材記録制御システムとして、
（１）入力された放送素材を記録する第１、第２の記録装置と、該第１、第２の記録装置を制御可能でかつ相互間で通信可能な第１、第２の制御装置と、上記通信結果に基づき、該第１、第２の制御装置と上記第１、第２の記録装置との接続を切換える切換え手段とを備え、上記切換えにより、上記第１の制御装置が上記第１の記録装置に接続されかつ上記第２の制御装置が上記第２の記録装置に接続される第１の接続状態と、上記第１、第２の制御装置のいずれか一方が上記第１、第２の記録装置の双方に接続される第２の接続状態とが可能で、該第１の接続状態または第２の接続状態において上記第１、第２の記録装置の双方に上記放送素材を記録する構成とする。
（２）入力された放送素材を記録する第１、第２の記録装置と、該第１、第２の記録装置を制御可能かつ相互間で通信可能な第１、第２の制御装置と、上記通信結果に基づき、該第１、第２の制御装置と上記第１、第２の記録装置との接続を切換える切換え手段とを備え、上記切換えにより、上記第１の制御装置が上記第１の記録装置に接続されかつ上記第２の制御装置が上記第２の記録装置に接続される第１の接続状態と、上記第１、第２の制御装置のいずれか一方が上記第１、第２の記録装置の双方に接続される第２の接続状態と、上記第１、第２の制御装置のいずれか一方が上記第１、第２の記録装置のいずれか一方に接続される第３の接続状態とが可能で、該第１の接続状態または第２の接続状態においては上記第１、第２の記録装置の双方に上記放送素材を記録し、上記第３の接続状態においては上記第１、第２の記録装置のいずれか一方に上記放送素材を記録する構成とする。
（３）記録用の放送素材を再生する再生部と、再生された上記放送素材を記録する第１、第２の記録装置と、相互間で通信可能かつそれぞれが上記再生装置と上記第１、第２の記録装置とを制御可能な第１、第２の制御装置と、上記通信結果に基づき、該第１、第２の制御装置と上記第１、第２の記録装置との間の接続を切換える切換え手段とを備え、上記切換えにより、上記第１の制御装置が上記第１の記録装置に接続されかつ上記第２の制御装置が上記第２の記録装置に接続される第１の接続状態と、上記第１、第２の制御装置のいずれか一方が上記第１、第２の記録装置の双方に接続される第２の接続状態と、上記第１、第２の制御装置のいずれか一方が上記第１、第２の記録装置のいずれか一方に接続される第３の接続状態とが可能で、該第１の接続状態または第２の接続状態においては上記第１、第２の記録装置の双方に上記再生された放送素材を記録し、上記第３の接続状態においては上記第１、第２の記録装置のいずれか一方に上記再生された放送素材を記録する構成とする。
【００１５】
また、第１、第２の記録装置をそれぞれ第１、第２の制御装置で制御し、映像信号と音声信号から成る放送素材を記録する放送素材記録制御方法として、
（４）第１、第２の制御装置相互間で通信を行うステップと、上記通信結果に基づき、上記第１、第２の制御装置と上記第１、第２の記録装置との間の接続を切換え、上記第１の制御装置を上記第１の記録装置に接続しかつ上記第２の制御装置を上記第２の記録装置に接続する、または、上記第１、第２の制御装置のいずれか一方を上記第１、第２の記録装置の双方に接続するステップと、上記第１、第２の記録装置において上記放送素材の記録を開始するステップとを備える。
（５）第１、第２の制御装置相互間で通信を行うステップと、上記通信結果に基づき、上記第１、第２の制御装置と上記第１、第２の記録装置との間の接続を切換え、上記第１の制御装置を上記第１の記録装置に接続しかつ上記第２の制御装置を上記第２の記録装置に接続する、または、上記第１、第２の制御装置のいずれか一方を上記第１、第２の記録装置の双方に接続するステップと、上記第１、第２の記録装置において上記放送素材の記録を開始するステップと、記録開始後、上記第１、第２の制御装置のいずれか一方に異常が発生したとき、該第１、第２の制御装置のうち正常な方を上記第１、第２の記録装置のいずれか一方に接続し、該接続された記録装置において上記放送素材の記録を続けるステップとを備える。
【００１６】
【発明の実施の形態】
以下、本発明の実施例につき、図面を用いて説明する。
図１〜図６は本発明の第１の実施例の説明図であって、図１は放送素材記録制御システムの全体の接続構成例を示す図、図２は、図１の接続構成の放送素材記録制御システムにおける通常の運用形態の説明図、図３は、図１の放送素材記録制御システムにおいて、複数の制御装置間の通信を行った段階で一方の制御装置に障害があると判断された場合の運用形態の説明図、図４は、複数の記録装置のうち一部の記録装置の制御が不可能となった場合の運用形態の説明図、図５は記録制御の手順例を示す図、図６は、制御装置の記録装置に対する接続を切換える切換え装置の内部構成の説明図である。本第１の実施例では、１台の再生装置と２台の制御装置と２台の記録装置を用い、再生装置からの放送素材を記録装置に取込んで記録する。
【００１７】
図１において、１０１ａは再生装置、１０２ａ、１０２ｂはそれぞれ記録装置、２０３ａ、２０３ｂはそれぞれ、再生装置１０１ａと記録装置１０２ａ、１０２ｂを制御する制御装置、２０１は、制御装置２０３ａ、２０３ｂの再生装置１０１ａに対する接続を切換える切換え装置、３０１ａ、３０１ｂは、制御装置２０３ａ、２０３ｂの、記録装置１０２ａ、１０２ｂに対する接続を切換える切換え装置、１０５ａ１、１０５ａ１１、１０５ａ２、１０５ａ’２、１０５ａ２１、１０５ｂ１、１０５ｂ２、１０５ｂ’２、１０５ｂ２１はそれぞれ、制御装置２０３ａ、２０３ｂからの制御信号を伝送する制御線、１０３は再生装置１０１ａから出力される放送素材（映像・音声信号）、１０４ａ、１０４ｂはそれぞれ、記録装置１０２ａ、１０２ｂから読み出されて出力される放送素材（映像・音声信号）、５０１は制御装置２０３ａ、２０３ｂ相互間の通信信号である。
【００１８】
かかる図１の構成において、制御装置２０３ａは、再生装置１０１ａに対しては切換え装置２０１と制御線１０５ａ１、１０５ａ１１を介して制御信号を送り該再生装置１０１ａを制御するとともに、記録装置１０２ａには切換え装置３０１ａと制御線１０５ａ２、１０５ａ２１を介して制御信号を送って該記録装置１０２ａを制御し、記録装置１０２ｂには切換え装置３０１ｂと制御線１０５ａ’２、１０５ｂ２１を介して制御信号を送って該記録装置１０２ｂを制御する。
【００１９】
また、制御装置２０３ｂは、再生装置１０１ａに対しては切換え装置２０１と制御線１０５ａ１、１０５ｂ１を介して制御信号を送り該再生装置１０１ａを制御するとともに、記録装置１０２ａに対しては切換え装置３０１ａと制御線１０５ｂ２、１０５ａ２１を介して制御信号を送って該記録装置１０２ａを制御し、記録装置１０２ｂに対しては切換え装置３０１ｂと制御線１０５ｂ’２、１０５ｂ２１を介して制御信号を送り該記録装置１０２ｂを制御する。再生装置１０１ａからは記録装置１０２ａ、１０２ｂに記録する放送素材１０３を出力する。記録装置１０２ａ、１０２ｂでは、再生装置１０１ａから出力された放送素材１０３を記録するとともに、該記録したものを読み出して放送用などとして出力する。制御装置２０３ａ、２０３ｂはそれぞれが、再生装置１０１ａにおける上記放送素材１０３の再生動作と、記録装置１０２ａ、１０２ｂにおける上記放送素材１０３の記録動作及び読み出し動作とを制御できるようになっている。記録装置１０２ａへの制御信号は、制御装置２０３ａからの制御信号も、制御装置２０３ｂからの制御信号もいずれもが、切換え装置３０１ａを経由して該記録装置１０２ａに入力され、同様に、記録装置１０２ｂへの制御信号は、制御装置２０３ａからの制御信号も、制御装置２０３ｂからの制御信号もいずれもが、切換え装置３０１ｂを経由して該記録装置１０２ａに入力される。
【００２０】
通常時は、制御装置２０３ａ、２０３ｂの両方が作動して記録装置１０２ａ、１０２ｂをそれぞれ制御し、該両記録装置１０２ａ、１０２ｂに放送素材を記録する。制御装置２０３ａは再生装置１０１ａと記録装置１０２ａの制御を行い、制御装置２０３ｂは記録装置１０２ｂの制御を行う。制御装置２０３ａ、２０３ｂはそれぞれ、相互間での通信が可能な構成を有し、該通信結果に基づく信号が切換え装置２０１、３０１ａ、３０１ｂに入力されるようになっている。切換え装置２０１、３０１ａ、３０１ｂでは、該通信結果に基づく信号により自動的に制御線の切換えを行い、運転形態を切換える。制御装置２０３ａ、２０３ｂ相互間の通信は例えば、運転を開始する直前や直後の期間に行う。
【００２１】
図２は、図１の放送素材記録制御システムにおける通常の運用形態の説明図である。すなわち、制御装置２０３ａ、２０３ｂ相互間の通信の結果、制御装置２０３ａ、２０３ｂのいずれにも、また両記録装置１０２ａ、１０２ｂにも異常がないと判別されたときは、該判別結果に基づく信号が切換え装置２０１、３０１ａ、３０１ｂに入力され、制御装置２０３ａは再生装置１０１ａと記録装置１０２ａに接続され、制御装置２０３ｂは記録装置１０２ｂに接続される。該接続状態（第１の接続状態）で運転が開始され、制御装置２０３ａは再生装置１０１ａと記録装置１０２ａの制御を行い、制御装置２０３ｂは記録装置１０２ｂの制御を行い、両記録装置１０２ａ、１０２ｂに再生装置１０１ａからの放送素材１０３を記録する。
【００２２】
図３は、上記制御装置２０３ａ、２０３ｂ相互間の通信を行った段階で一方の制御装置２０３ｂに異常があると判別された場合の運用形態の説明図である。該場合は、該判別結果に基づく信号が切換え装置２０１、３０１ａ、３０１ｂに入力され、制御装置２０３ｂの記録装置１０２ｂへの接続は断たれ、制御装置２０３ａが再生装置１０１ａと記録装置１０２ａと記録装置１０２ｂとに接続される（第２の接続状態）。該接続状態（第２の接続状態）で運転が開始され、制御装置２０３ａが再生装置１０１ａと両記録装置１０２ａ、１０２ｂの制御を行い、両記録装置１０２ａ、１０２ｂに再生装置１０１ａからの放送素材１０３が記録する。
【００２３】
また、制御装置２０３ａに異常があると判別された場合には、該判別結果に基づく信号による切換え装置２０１、３０１ａ、３０１ｂの切換え動作により、制御装置２０３ａの再生装置１０１ａと記録装置１０２ａへの接続は断たれ、制御装置２０３ｂが再生装置１０１ａと記録装置１０２ａと記録装置１０２ｂとに接続される（第２の接続状態）。該接続状態（第２の接続状態）で運転が開始され、制御装置２０３ｂが再生装置１０１ａと両記録装置１０２ａ、１０２ｂの制御を行い、両記録装置１０２ａ、１０２ｂに再生装置１０１ａからの放送素材１０３を記録する。
【００２４】
図４は、記録装置１０２ａ、１０２ｂのうち記録装置１０２ｂの制御が不可能となった場合の運用形態の説明図である。例えば、上記図２の接続状態（第１の接続状態）でシステムが運転されていたときに、記録装置１０２ｂに異常が発生したような場合は、制御装置２０３ｂからの異常検知信号、記録装置１０２ｂからの異常検知信号または制御装置２０３ａ、２０３ｂ相互間の通信に基づく信号により、切換え装置３０１ｂを動作させ、記録装置１０２ｂの制御装置２０３ｂへの接続が断たれる。この結果、制御装置２０３ａが記録装置１０２ａの方にだけ接続された状態（第３の接続状態）で記録制御動作が継続され、制御装置２０３ａが再生装置１０１ａと記録装置１０２ａの制御を行い、記録装置１０２ａにだけ再生装置１０１ａからの放送素材１０３を引続き記録する。
【００２５】
図５は、図１のシステムにおける記録制御の手順例を示す図である。
図５において、
（１）まず、システムの作動を開始する（ステップＳ５０１）。
（２）全ての制御装置につき正常か否かの確認を行う（ステップＳ５０２）。
（３）ステップＳ５０２で全ての制御装置が正常である場合は、制御装置と記録装置の接続を上記第１の接続状態（図２）にして記録制御動作に入る（ステップＳ５０３）。
（４）一方、ステップＳ５０２で全ての制御装置が正常でないと判断した場合は、いずれかの制御装置につき制御可能状態にあるか否かを判別する（ステップＳ５０４）。
（５）ステップＳ５０４でいずれか一方の制御装置が制御可能状態にあると判別した場合は、制御装置と記録装置の接続を上記第２の接続状態（図３）にして記録制御動作に入る（ステップＳ５０５）。
（６）一方、ステップＳ５０４でいずれの制御装置も制御可能状態にないと判別した場合は、運転を停止し、全ての制御装置またはいずれかの制御装置の点検を行い、必要に応じ修理を実施する（ステップＳ５０６）。
（７）上記各ステップＳ５０３、Ｓ５０５、Ｓ５０６の次には、記録制御が完了したか否かを判別する（ステップＳ５０８）。
（８）ステップＳ５０８で記録制御が完了したと判別した場合は全ての記録制御処理を終了させる（ステップＳ５０９）。
（９）ステップＳ５０８で記録制御が完了していないと判別した場合は、制御装置に障害が発生したか否かをチェックする（ステップＳ５１０）。
（１０）ステップＳ５１０で障害が発生していると判断した場合は、該当系の記録制御動作を中断する（ステップＳ５１１）。
（１１）さらに、上記第１の接続状態または上記第２の接続状態での運転中に、制御装置のうちの一方例えば図３の制御装置２０３に異常が発生した場合は、上記第３の接続状態にして記録制御動作を続行する（ステップＳ５０７）。
（１２）ステップＳ５１０で障害が発生していないと判断した場合は再度、ステップＳ５０８で記録制御が完了したか否かをチェックする。また、ステップＳ５０７の次も、ステップＳ５０８で記録制御が完了したか否かをチェックする。
【００２６】
図６は、制御装置の記録装置に対する接続を切換える切換え装置３０１ａ、３０１ｂの内部構成例を示す図である。
図６の切換え装置３０１ａ、３０１ｂはいずれも、２段構成の切換え部を有する。図６の構成において、３０１ａ１、３０１ａ２はそれぞれ、切換え装置３０１ａ内の切換え部、３０１ｂ１、３０１ｂ２はそれぞれ、切換え装置３０１ｂ内の切換え部、１０５ａ２−１、１０５ａ２−２、１０５ｂ’２−１、１０５ｂ’２−２はそれぞれ、制御装置２０３ａ、２０３ｂと切換え装置３０１ａ、３０１ｂとの間を接続する制御線である。他の符号は、上記図１〜図４の場合と同様である。
【００２７】
制御装置２０３ａ、２０３ｂと記録装置１０２ａ、１０２ｂとの接続を上記第１の接続状態（図２）とするときには、切換え部３０１ａ１内の端子ａ、ｃを接続状態とし、切換え部３０１ａ２内の端子ａ２、ｃを接続状態とする。さらに、切換え部３０１ｂ１内の端子ｂ、ｃを接続状態とし、かつ切換え部３０１ｂ２内の端子ｂ２、ｃを接続状態とする。
また、制御装置２０３ａ、２０３ｂと記録装置１０２ａ、１０２ｂとの接続を上記第２の接続状態（図３）とするときには、切換え部３０１ａ１内の端子ａ、ｃを接続状態とし、切換え部３０１ａ２内の端子ａ２、ｃを接続状態とし、切換え部３０１ｂ１内の端子ａ、ｃを接続状態とし、かつ切換え部３０１ｂ２内の端子ｂ２、ｃを接続状態とする。
【００２８】
また、制御装置２０３ａ、２０３ｂと記録装置１０２ａ、１０２ｂとの接続を上記第３の接続状態（図４）とするときには、切換え部３０１ａ１内の端子ａ、ｃを接続状態とし、切換え部３０１ａ２内の端子ａ２、ｃを接続状態とする。さらに、切換え部３０１ｂ１内の端子ａ、ｃを接続状態とし、切換え部３０１ｂ２内の端子ｂ２、ｃを接続状態とする。
なお、上記切換え部３０１ａ１、３０１ａ２、３０１ｂ１、３０１ｂ２は、機械的な構成のものでもよいし、電子的構成のものでもよい。電子的なものとしては例えば論理回路を用いたものなどがある。
【００２９】
上記第１の実施例によれば、再生装置からの放送素材を記録する場合、記録装置とそれを制御する制御装置に対する冗長性を高めることができ、制御装置や記録装置に異常が発生した場合にも記録を継続して実施することができる。
【００３０】
図７及び図８は本発明の第２の実施例としての放送素材記録制御システムの説明図である。本第２の実施例は、回線からの放送素材を、再生装置を経ずに記録装置に取込んで記録する場合の構成例である。本第２の実施例においても、２台の制御装置と２台の記録装置とを用いる。図７は、放送素材記録制御システムにおける通常の運用形態の説明図、図８は、２台の記録装置のうち１台の記録装置に異常が発生し制御が不可能となった場合の運用形態の説明図である。
【００３１】
図７において、９０１は回線からの放送素材である。他の符号は上記図１〜図４の場合と同様である。かかる図７の構成において、制御装置２０３ａは、記録装置１０２ａに対し切換え装置３０１ａと制御線１０５ａ２、１０５ａ２１を介して制御信号を送って該記録装置１０２ａを制御し、記録装置１０２ｂに対しては切換え装置３０１ｂと制御線１０５ａ’２、１０５ｂ２１を介して制御信号を送り該記録装置１０２ｂを制御する。また、制御装置２０３ｂは、記録装置１０２ａに対しては切換え装置３０１ａと制御線１０５ｂ２、１０５ａ２１を介して制御信号を送って該記録装置１０２ａを制御し、記録装置１０２ｂに対しては切換え装置３０１ｂと制御線１０５ｂ’２、１０５ｂ２１を介して制御信号を送り該記録装置１０２ｂを制御する。記録装置１０２ａ、１０２ｂでは、回線からの放送素材９０１を記録するとともに、該記録したものを読み出して放送用などとして出力する。制御装置２０３ａ、２０３ｂはそれぞれが、記録装置１０２ａ、１０２ｂにおける上記放送素材１０３の記録動作と読み出し動作を制御できるようになっている。記録装置１０２ａへの制御信号は、制御装置２０３ａからの制御信号も、制御装置２０３ｂからの制御信号もいずれもが、切換え装置３０１ａを経由して該記録装置１０２ａに入力され、同様に、記録装置１０２ｂへの制御信号は、制御装置２０３ａからの制御信号も、制御装置２０３ｂからの制御信号もいずれもが、切換え装置３０１ｂを経由して該記録装置１０２ａに入力される。
【００３２】
通常時は、制御装置２０３ａ、２０３ｂの両方が作動して記録装置１０２ａ、１０２ｂをそれぞれ制御し、該両記録装置１０２ａ、１０２ｂに放送素材を記録する。このとき、制御装置２０３ａは記録装置１０２ａの制御を行い、制御装置２０３ｂは記録装置１０２ｂの制御を行う。制御装置２０３ａ、２０３ｂはそれぞれ、相互間での通信が可能な構成を有し、該通信結果に基づく信号が切換え装置３０１ａ、３０１ｂに入力されるようになっている。切換え装置３０１ａ、３０１ｂでは、該通信結果に基づく信号により自動的に制御線の切換えを行い、運転形態を切換える。本第２の実施例の場合も、制御装置２０３ａ、２０３ｂ相互間の通信は例えば、運転を開始する直前や直後に行うとする。制御装置２０３ａ、２０３ｂ相互間の通信の結果、制御装置２０３ａ、２０３ｂのいずれにも、また両記録装置１０２ａ、１０２ｂにも異常がないと判別されたときは、該判別結果に基づく信号が切換え装置３０１ａ、３０１ｂに入力され、制御装置２０３ａは記録装置１０２ａに接続され、制御装置２０３ｂは記録装置１０２ｂに接続される。該接続状態（第１の接続状態）で記録制御が開始され、制御装置２０３ａは再生装置１０１ａと記録装置１０２ａの制御を行い、制御装置２０３ｂは記録装置１０２ｂの制御を行い、両記録装置１０２ａ、１０２ｂに回線からの放送素材９０１を記録する。
【００３３】
図８は、記録装置１０２ａ、１０２ｂのうち記録装置１０２ｂの制御が不可能となった場合の運用形態の説明図である。例えば、上記図７の接続状態（第１の接続状態）でシステムが運転されていたときに、記録装置１０２ａに異常が発生したような場合は、切換え装置３０１ａを動作させ、記録装置１０２ａの制御装置２０３ａへの接続を断つ。この結果、制御装置２０３ｂが記録装置１０２ｂの方にだけ接続された状態（第３の接続状態）で記録制御が継続され、制御装置２０３ｂが記録装置１０２ｂの制御を行い、記録装置１０２ｂにだけ回線からの放送素材９０１を記録する。回線からの放送素材を直接的に記録する本第２の実施例では、再生装置を用いる上記第１の実施例の場合と異なり、記録（収録）開始の時刻が予め決まっているため、マスターとなる制御装置に異常が発生した場合には、マスター制御装置からの通信がないともう一方の制御装置は自走により記録制御を開始するようになっている。この場合、マスター制御装置ともう一方の制御装置との間の通信に異常が発生しただけで該マスター制御装置自身には異常はない可能性もあるため、切換え装置の制御は行わない。
【００３４】
上記第２の実施例によれば、回線からの放送素材を直接取込んで記録する場合、記録装置とそれを制御する制御装置に対する冗長性を高めることができ、制御装置や記録装置に異常が発生した場合にも記録を継続して実施することができる。
【００３５】
【発明の効果】
本発明によれば、従来に比べ、より一層高い信頼性で放送素材の記録（収録）を行うことができる。
【図面の簡単な説明】
【図１】本発明の第１の実施例としての放送素材記録制御システムにおける全体構成例を示す図である。
【図２】図１のシステムにおける通常の運用形態の説明図である。
【図３】図１のシステムにおいて一方の制御装置に障害がある場合の運用形態の説明図である。
【図４】図１のシステムにおいて一方の記録装置が制御不可能となった場合の運用形態の説明図である。
【図５】図１のシステムにおける記録制御の手順例を示す図である。
【図６】図１のシステムにおける切換え装置の説明図である。
【図７】本発明の第２の実施例の放送素材記録制御システムにおける通常の運用形態の説明図である。
【図８】図７のシステムにおいて一方の記録装置に異常が発生した場合の運用形態の説明図である。
【図９】従来の放送素材記録制御システム例であって、１台の制御装置と１台の記録装置とを備えた構成例を示す図である。
【図１０】従来の放送素材記録制御システム例であって、１台の制御装置で複数台の記録装置を制御する構成例を示す図である。
【図１１】従来の放送素材記録制御システム例であって、複数台の制御装置で複数台の記録装置を制御する構成例を示す図である。
【符号の説明】
１０１ａ…再生装置、  １０２ａ、１０２ｂ…記録装置、  ２０３ａ、２０３ｂ…制御装置、２０１、３０１ａ、３０１ｂ…切換え装置、  １０５ａ１、１０５ａ１１、１０５ａ２、１０５ａ’２、１０５ａ２１、１０５ｂ１、１０５ｂ２、１０５ｂ’２、１０５ｂ２１、１０５ａ２−１、１０５ａ２−２、１０５ｂ’２−１、１０５ｂ’２−２…制御線、  １０３、１０４ａ、１０４ｂ、９０１…放送素材（映像・音声信号）、  ５０１…通信信号。
【図１】
2004266496.tif 000003
【図２】
2004266496.tif 000004
【図３】
2004266496.tif 000005
【図４】
2004266496.tif 000006
【図５】
2004266496.tif 000007
【図６】
2004266496.tif 000008
【図７】
2004266496.tif 000009
【図８】
2004266496.tif 000010
【図９】
2004266496.tif 000011
【図１０】
2004266496.tif 000012
【図１１】
2004266496.tif 000013